(57)【要約】【課題】前後方向に薄型に構成することができて安定性があり音響特性の優れた電子楽器を提供する。【解決手段】楽器本体１の側板１３近傍に前方脚２，２を取り付ける。楽音発生用のスピーカを保持するスピーカボックス３，３を楽器本体１の後方下部に配設する。スピーカボックス３，３の下端を床面ＧＬまで延設し、スピーカボックス３，３を後方脚とする。スピーカボックス３，３と前方脚２，２とで楽器本体１を支持する。スピーカボックス３，３の間のフロント板４１の下方内部にペダル８を設ける。フロント板４１の内部に電気回路部１０を設ける。水平板橋渡し部材４２上にトランス１０２を載置する。【選択図】図１
2005202189.tif 000002
【特許請求の範囲】
【請求項１】
演奏操作子を有する楽器本体と、演奏操作子の操作で楽音信号を発生する楽音信号発生手段と、該楽音信号発生手段からの楽音信号を音響変換するスピーカと、前記楽器本体を該本体の側板近傍で支持する前方脚とを備えた電子楽器において、
前記前方脚はその上部を前記楽器本体に固定するとともに下部を床面まで延長して構成し、
前記スピーカを保持するスピーカボックスを、前記楽器本体の後部側を支持する支持部材として設けるとともに、該スピーカボックスをその下部を床面まで延設することで後方脚として構成した
ことを特徴とする電子楽器。
【請求項２】
演奏操作子を有する楽器本体と、演奏操作子の操作で楽音信号を発生する楽音信号発生手段と、該楽音信号発生手段からの楽音信号を音響変換するスピーカと、前記楽器本体を該本体の側板近傍で支持する前方脚とを備えた電子楽器において、
前記前方脚はその上部を前記楽器本体に固定するとともに下部を床面まで延長して構成し、
前記楽音信号発生手段を含む電気回路部材収納部が上部に設けられた収納ボックスを間に介在させて、前記スピーカを保持する左右のスピーカボックスを、前記楽器本体の後部側を支持する支持部材として設けるとともに、該スピーカボックスをその下部を床面まで延設することで後方脚として構成し、
前記収納ボックスの下方にペダル装置を配設したことを特徴とする電子楽器。
【請求項３】
演奏操作子を有する楽器本体と、演奏操作子の操作で楽音信号を発生する楽音信号発生手段と、該楽音信号発生手段からの楽音信号を音響変換するスピーカと、前記楽器本体を該本体の側板近傍で支持する前方脚とを備えた電子楽器において、
前記前方脚はその上部を前記楽器本体に固定するとともに下部を床面まで延長して構成し、
前記スピーカを保持する左右のスピーカボックスを、前記楽器本体の後部側を支持する支持部材として間隔を開けて設けるとともに、該スピーカボックスはその下部を床面まで延設することで後方脚として構成し、
前記各スピーカボックス間を橋渡しする橋渡し部材を設け、該橋渡し部材に前記楽音信号発生手段を含む電気回路部材収納部を設けるようにしたことを特徴とする電子楽器。
【請求項４】
演奏操作子を有する楽器本体と、演奏操作子の操作で楽音信号を発生する楽音信号発生手段と、該楽音信号発生手段からの楽音信号を音響変換するスピーカと、前記楽器本体を該本体の側板近傍で支持する前方脚とを備えた電子楽器において、
前記前方脚はその上部を前記楽器本体に固定するとともに下部を床面まで延長して構成し、
前記スピーカを保持する左右のスピーカボックスを、前記楽器本体の後部側を支持する支持部材として間隔を開けて設けるとともに、該スピーカボックスはその下部を床面まで延設することで後方脚として構成し、
前記各スピーカボックス間を該スピーカボックスの下部位置で橋渡しする水平板橋渡し部材を設け、該水平板橋渡し部材の下面に足操作用のペダルを揺動自在に固着したことを特徴とする電子楽器。
【請求項５】
前記水平板橋渡し部材の上に電気回路部材を載置するようにしたことを特徴とする請求項４に記載の電子楽器。
【発明の詳細な説明】
【技術分野】
【０００１】
本発明は、演奏操作子の操作で楽音信号を発生する楽音信号発生手段と、該楽音信号発生手段からの楽音信号を音響変換するスピーカと、前記楽器本体を側板近傍で支持する前方脚とを備えた電子楽器、特に楽器本体に鍵盤部を備えた電子鍵盤楽器に適した電子楽器に関する。
【背景技術】
【０００２】
従来、電子楽器として、楽器本体を脚部で支持する構造のものがある。楽器本体は、鍵等の操作子や該操作子を支持するフレームあるいは各種操作子操作を検出する回路基板等を備えた演奏装置（例えば鍵盤装置）を棚板に載置するとともに、該演奏装置の後方側（演奏者と反対側）を表示部や操作スイッチ等を配置したパネル面として構成されている。また、電子鍵盤楽器としては、例えば特許第２７４５９５２号公報、特開２００２−２４４６６１号公報に開示されているように、楽器本体をその両側に配置した立て板状の脚部によって支えるような構造のものが多い。
【０００３】
電子楽器はスピーカによって楽音を発生するが、前記特許第２７４５９５２号公報のような形態のものでは、スピーカを楽器本体内に収容されることが多い。しかし、楽器本体内はスペース（容積）が小さいのであまりよい音響特性が得られない。このため、前記特開２００２−２４４６６１号公報のように楽器本体と別にスピーカボックスを設けるようにしたものもある。
【特許文献１】特許第２７４５９５２号公報
【特許文献２】特開２００２−２４４６６１号公報
【発明の開示】
【発明が解決しようとする課題】
【０００４】
スピーカボックスを楽器本体と別に設ける場合でも、スピーカボックスの容積が大きい方が音響特性（特に低音特性）を良くすることができるが、前記特開２００２−２４４６６１号公報のようにスピーカボックスを単に楽器本体の下に配置すると、演奏者は特にペダル操作等の足操作がやりにくくなると言う問題がある。さらに、演奏者に対して圧迫感を与えることにもなる。また、例えば鍵盤楽器では鍵盤を最も手前（演奏者側）に配置する必要があり、なおかつペダル操作を制限しない形でスピーカボックス容積の増大を図ろうとすると前後長の増大にならざるを得ず、これによって必然的に楽器本体の前後方向の幅も大となる。したがって、楽器全体のサイズも大きくなり、持ち運び不便で、高コストにもなるという点で、改善の余地を残している。なお、この明細書において、電子楽器の「上下左右」を指す場合、演奏時の演奏者側（鍵盤側）から見た正立状態の「上下左右」とする。また、「前後方向（あるいは奥行き方向）」を指す場合、演奏者側を「前」、背面側を「後」とする。
【０００５】
本発明は、前後方向に薄型に構成することができて音響特性の優れた電子楽器を提供することを課題とする。
【課題を解決するための手段】
【０００６】
請求項１の電子楽器は、鍵盤装置等を有する楽器本体を、楽器本体の側板近傍に固定した前方脚と楽器本体の後部側から床面まで延設したスピーカボックスとによって支持するようにした。これにより、スピーカボックスは上下方向に容積を確保できるので、スピーカボックス及び楽器本体を前後方向に幅を小さくすることができ、容積確保により音響特性を良好にしながら、前後方向に薄型の電子楽器を可能にした。床面にスピーカボックスが必然的に置かれることから、さらに音響特性（特に低音）を良好にするものである。
【０００７】
請求項２の電子楽器は、請求項１の構成に加えて、楽音信号発生手段を含む電気回路部材収納部が上部に設けられた収納ボックスをスピーカボックスの間に介在させて設け、この収納ボックスの下方にペダル装置を配設した。これにより、奥行き方向のペダルの安定性を高めるとともに、収納ボックスの上部に設けた電気回路部材収納部の重量によりさらに安定性を高めるようにした。
【０００８】
請求項３の電子楽器は、請求項１の構成に加えて、各スピーカボックス間を橋渡しする橋渡し部材を設け、この橋渡し部材に前記楽音信号発生手段を含む電気回路部材収納部を設けるようにした。これにより、電気回路部材収納部によって左右スピーカボックスを音響的に分離できる。また、電気回路部材が収納されているので、この部分の質量が大となり、音響的に干渉することがなくなり、特に低音特性が良好となる。
【０００９】
請求項４の電子楽器は、請求項１の構成に加えて、各スピーカボックス間を該スピーカボックスの下部位置で橋渡しする水平板橋渡し部材を設け、この水平板橋渡し部材の下面に足操作用のペダルを揺動自在に固着した。これにより、スピーカボックスの下部に近い位置でペダルを固定するようにした。
【００１０】
請求項５の電子楽器は、請求項４の構成に加えて、前記水平板橋渡し部材の上に電気回路部材を載置し、これにより、電気回路部材の重量によりペダル及び楽器全体の安定性を良くした。
【発明の効果】
【００１１】
請求項１の電子楽器によれば、スピーカボックスを後方脚として構成したので、スピーカボックス自体の上下寸法を大とすることができ、前後方向に薄型に形成してもボックス容積を大とすることができ、例えば低音域が延びるなど音響特性を良好にすることができる。したがって、前後方向に薄型に構成することができるとともに音響特性の優れた電子楽器が得られる。なお、スピーカボックスを前後方向に薄型に形成すると演奏者に圧迫感を与えない電子楽器となる。また、後方脚体や、楽器両側部に配置する脚体としてのサイドパネルを新たに設ける必要もなくなる。
【００１２】
請求項２の電子楽器によれば、請求項１と同様な効果が得られるとともに、従来のように床面から相当離れた位置（例えば棚板やスピーカボックス下面）から垂下された棒状取り付け部材を介してペダル装置を取り付けるものより、ペダルの安定性が高まるとともに、収納ボックスの上部に設けられた電気回路部材収納部の重量によりさらに安定性が高まり、ペダル操作もし易くなる。
【００１３】
請求項３の電子楽器によれば、請求項１と同様な効果が得られるとともに、電気回路部材収納部によって左右スピーカボックスを音響的に分離でき、また、電気回路部材によりこの部分の質量が大となり、音響的に干渉することがなくなり、特に低音特性が良好となる。
【００１４】
請求項４の電子楽器によれば、請求項１と同様な効果が得られるとともに、スピーカボックス間を橋渡しする水平板橋渡し部材がペダル位置の低い位置になるので、後方脚としてのスピーカボックスの上部は必然的に楽器本体の例えば棚板と固定されるが、下部は自重により床面に設置固定され、この下部に近いその位置でペダルが固定されることになる。したがって、ペダルが安定し、操作時の安定性が良い。また、この水平板橋渡し部材の部分の質量が増えるので、音響分離性も良好となる。
【００１５】
請求項５の電子楽器によれば、請求項４と同様な効果が得られるとともに、電気回路部材をトランス等の重い部材とすると、ペダルの安定性がさらに良くなるとともに、楽器全体の重心が下がるので楽器自体の安定性も良くなる。
【発明を実施するための最良の形態】
【００１６】
以下、図面を参照して本発明の一実施形態について説明する。図１は本発明の実施形態における電子鍵盤楽器の正面図（図１(A) ）及び右側面図（図１(B) ）、図２は同電子鍵盤楽器の上面図、図３は支持部材（スピーカボックス等）の背面分解状態と楽器全体の各部の取り付け位置関係を示す概略図である。楽器本体１は、水平な棚板１１、「演奏操作子」としての白鍵ｗｋ、黒鍵ｂｋ及び操作パネルＰ等を備えた鍵盤装置１２、鍵盤装置１２の側部を覆う側板１３、白鍵ｗｋの端部に配置された拍子木部１４、鍵盤装置１２の操作パネルＰの側部を覆う鍵盤隠しサイド板１５、正面の口棒部１６等を備えている。また、該楽器本体１の上面部で白鍵ｗｋ、黒鍵ｂｋ、操作パネルＰ、拍子木部１４及び鍵盤隠しサイド板１５を覆うように開閉自在な蓋１７を備えている。１７１は蓋１７の先端部に左右全幅にわたって蓋１７と一体に設けた蓋前板部である。なお、蓋１７は、図１(A) 及び図２では左半分は閉めた状態を示し、図１(A) では右半分は開けた状態を、図２では右半分を外した状態を示している。
【００１７】
楽器本体１の左右両側の側板１３，１３の前端部近傍には、楽器本体１を支持する前方脚２，２がそれぞれ取り付けられている。この前方脚２は、図２の二点鎖線の吹き出し部に図示したように、前方脚２の上端部分２ａの側面部２ｂ，２ｃにおいて側板１３のそれぞれ前端面１３ａ、口棒部１６の左右端面１６ａが締結部材ＪＴによってネジにて結合されている。また、前方脚２は中間部分においてその内側側面から棚板１１の裏面内部に掛けて配設された金属製のステー２１及び図示しない金具によって、楽器本体１に取り付けられている。そして、図１に示したように、前方脚２，２は、その下部を床面ＧＬまで延長されている。なお、前方脚２の下端面にはキャスタ２２が取り付けられている。
【００１８】
楽器本体１の後部側には、左右のスピーカ３１，３１を収納し保持する左右一対のスピーカボックス３，３が設けられ、このスピーカボックス３，３はその下部を床面ＧＬ（近傍）まで延設することで後方脚とされている。また、スピーカボックス３，３の背面には、裏蓋３２，３２（図３）が取り付けられる。なお、スピーカボックス３，３のバッフル板３３，３３にはスピーカ３１，３１の取付孔３３ａ，３３ａが形成されている。両スピーカボックス３，３の間には、フロント板４１、水平板橋渡し部材４２及び裏蓋４３（図３）が設けられ、スピーカボックス３，３、裏蓋３２，３２、フロント板４１、水平板橋渡し部材４２及び裏蓋４３は一体に組み付けることにより楽器本体１を支持する支持部材Ａを構成している。なお、スピーカボックス３，３の裏側には、後方に床面ＧＬまで延設された倒れ防止金具３４，３４（図１(B) ，図２）が着脱自在に取り付けられている。
【００１９】
楽器本体１の後部側の上部には支持部材Ａの幅とほぼ同幅を有するリアパネル５が設けられるとともに、支持部材Ａ及びリアパネル５の両端には、リアパネル５の上端までの高さを有するサイドリアパネル６，６が設けられている。リアパネル５とサイドリアパネル６，６は両背面に取り付けられた金具５１（図３）によって互いに固定されている。また、支持部材Ａ及びサイドリアパネル６，６の下端は、これらを結合する結合ベース部材７の上に固定されている。なお、この結合ベース部材７の裏面にはキャスタ７１（図１）が取り付けられている。
【００２０】
支持部材Ａにおいて、フロント板４１内部は電気回路部材収納部Ｂとされ、この電気回路部材収納部Ｂには、鍵盤装置１２の操作に応じて楽音信号を発生する制御部１０１（楽音信号発生手段）を含む電気回路部１０（図１）が収納されている。なお、制御部１０１は、ＣＰＵや音源チップなどによりデジタル楽音信号を発生する電子回路基板で構成されている。また、電気回路部１０のトランス１０２が水平板橋渡し部材４２の上に載置固定されている。水平板橋渡し部材４２の下部は収納ボックスＣとされている。水平板橋渡し部材４２の裏面にはペダル保持用フレーム８１が取り付けられ、このペダル保持用フレーム８１によってペダル８が水平板橋渡し部材４２の下面に揺動自在に固着されている。そして、ペダル８の先端操作部はフロント板４１の下端部に形成されたペダル開口部４１ａ（図１(A) ）を介して演奏者側に露出されている。
【００２１】
図４は楽器本体１の右側を示す一部平面図であり、楽器本体１の第１カバー及び第２カバーを外した状態を示している。なお、図４中ＣＬは楽器のセンターラインであり、パネルスイッチ等の細部の部品以外はこのセンターラインＣＬを軸としてほぼ全体として左右対称構造となっている。図５は楽器本体１と右側のスピーカボックス３との取り付け状態を示す斜視図であり、楽器本体１の第２カバーを外した状態を示している。楽器本体１において、操作パネルＰの後端部Ｒは支持金具１１１を介して棚板１１に固定され、鍵盤隠しサイド板１５の上端面から僅かに低い位置に操作パネルＰは設置される。
【００２２】
また、楽器本体１の後部両サイドには段部１ａが形成され、この段部１ａにサイドリアパネル６が当接され、このサイドリアパネル６はその下端部において結合ベース部材７側の固定金具７２によって固定される。楽器本体１の後部において、段部１ａから中央側の部分はスピーカボックス３と連結する矩形に出っ張った連結箱部１ｂとされている。この連結箱部１ｂの幅ｗ１は支持部材Ａの幅と同幅とされ、この連結箱部１ｂが支持部材Ａ上に載置され固定される。なお、この楽器本体１（棚板１１）と支持部材Ａ（スピーカボックス３）とはスピーカボックス３の上端のＬ型の取付け金具３５（図３）によって固定される。
【００２３】
連結箱部１ｂ内の棚板１１には、スピーカボックス３の水平断面領域の内側に対応する部分でスピーカボックス３の内部に貫通する多数の透孔１１ｂが形成されている。鍵盤装置１２の操作パネルＰの後端部Ｒと段部１ａとの間には幅狭部Ｓが形成され、連結箱部１ｂ内の幅狭部Ｓ寄りの位置にモニタスピーカ（ツイータ）２０が配設されている。また、操作パネルＰの左右後端部からモニタスピーカ２０のさらに中央寄りの位置にかけて、多数の透孔からなるトーンエスケープ３０が形成されている。このトーンエスケープ３０は、操作パネルＰのパネル面形成時に鉄板にプレス及びパンチング加工を施すことにより形成されている。そして、操作パネルＰの後上面部は、連結箱部１ｂ及び幅狭部Ｓを覆うように、第１カバー１８ａ（図５）と第２カバー１８ｂ（図５の一点鎖線）とが取り付けられている。第１カバー１８ａ、第２カバー１８ｂは一体に設けてもよく、鍵盤蓋としての第３カバー１８ｃ、第４カバー１８ｄは、第２カバー１８ｂの先端面からヒンジ部ｈ１を介して結合されている（図１(B) ）第３カバー１８ｃと第４カバー１８ｄとはヒンジ部ｈ２で結合されている。
【００２４】
なお、図４に示したように、操作パネルＰにはＬＥＤ１２ａ、音色選択スイッチ１２ｂ、液晶表示器１２ｃ等が配設され、拍子木部１４にはパワースイッチ１２ｄが配設されている。また、図４には破線によりスピーカ３１、バッフル板３３、ペダル８、フロント板４１も図示してあるが、バッフル板３３及びフロント板４１の前面にはサランネット９が配設されている。
【００２５】
以上の構成により、楽器本体１は側板１３，１３の近傍に固定した左右端の２本の前方脚２，２と、後方の支持部材Ａとにより支持される。床面まで延設したスピーカボックス３はそれ自体の上下寸法が大となり、上下方向に大きな容積が確保されている。したがって、特に低音域の音響特性が良好になる。また、スピーカ３１の背面からの音はスピーカボックス３内からその上部に伝わり、棚板１１の多数の透孔１１ｂを介して楽器本体１の前記連結箱部１ｂに導かれ、幅狭部Ｓ及びトーンエスケープ３０（多数の透孔）を介して演奏者側に放音される。したがって、演奏者にとって低音特性のよい楽音が良く聞こえる。さらに、モニタスピーカ２０の音もトーンエスケープ３０から放音される。したがって、中高音域の音響特性も良好になる。
【００２６】
しかも、スピーカボックス３の前後方向の厚みが薄く、楽器本体１ひいては楽器全体が前後に薄型になり、演奏者に対して圧迫感を与えない電子鍵盤楽器となっている。
【００２７】
また、電気回路部材収納部Ｂを載置した収納ボックスＣをスピーカボックス３，３の間に介在させ、この収納ボックスＣの下方にペダル８を配設しているので、奥行き方向のペダル８の安定性が高くなっており、ペダル操作もし易くなっている。すなわち、収納ボックスＣに連結するスピーカボックス３，３の下端は楽器の自重により床面に対して固定されるのでペダル保持用フレーム８１が固定され、ペダル８が安定する。例えば、従来、楽器本体の下部に床面から相当離れた位置にある棚板の下面から棒状の部材を垂下し、その下にペダル装置を取り付けるものがあるが、このようなものよりも、奥行き方向にペダルが安定する。さらに、収納ボックスＣに載置された電気回路部材収納部Ｂの例えばトランス１０１の重量により、ペダル８の安定性がさらに高くなり、且つ楽器全体の安定性も高くなっている。
【００２８】
また、スピーカボックス３，３の間を橋渡しする水平板橋渡し部材４２を備え、水平板橋渡し部材４２はピーカボックス３，３の間でしかも該スピーカボックス３，３の下部位置に配置され、この水平板橋渡し部材４２の下面にペダル保持用フレーム８１を介してペダル８が揺動自在に固着されているので、スピーカボックス３，３の下部に近い位置でペダル８が固定され、ペダル操作の安定性が良好になっている。
【００２９】
また、水平板橋渡し部材４２に電気回路部材収納部Ｂを載置するようになっているので、左右のスピーカ３１，３１に対して、音響的に電気回路部材収納部Ｂによって左右を良好に分離できる。また、電気回路部材収納部Ｂには電気回路部材１０が収納されているので、このスピーカボックス３，３の間の部分の質量が大となり、音響的に干渉することがなくなり、特に低音特性が良好となっている。さらに、電気回路部材収納部Ｂの下部の重量が大きくなるので、支持部材Ａ（後方脚）が倒れようとするベクトルが内向き（前方向き）になるとともに、楽器全体の重心が下がり、薄型でも倒れにくくなる。
【００３０】
実施形態では、スピーカボックス３，３の下に結合ベース部材７を取り付けるようにしているので、スピーカボックス３，３、裏蓋３２，３２、フロント板４１、水平板橋渡し部材４２及び裏蓋４３からなる支持部材Ａが、全体的に堅牢なものとなる。なお、この結合ベース部材７はなくてもよい。すなわち、本発明において、後方脚を構成するためにスピーカボックスをその下部を床面まで延設するという構成は、結合ベース部材７のような部材がある場合もない場合も含んでいる。
【００３１】
実施形態におけるトーンエスケープ３０は多数の透孔であるが、できれば異物等の侵入を防いでかつ放音できる形状であればどのような形状でもよい。またトーンエスケープを形成する部分の材質は金属には限らないが、操作パネルＰと一体に樹脂成型してもよい。また、実施形態では、スピーカボックス３，３の上部の棚板１１に形成した透孔１１ｂからの音を上記トーンエスケープ３０から演奏者側に放音するようにしているが、このトーンエスケープ３０を無くし、鍵盤装置後方で且つ操作パネル面の上方に、透孔１１ｂに連通する放音用間隙を設け、透孔１１ｂからの音をこの放音用間隙から演奏者側に放音するようにしてもよい。さらに、トーンエスケープ３０と放音用間隙との両方を設けてこの両方から放音するようにしてもよい。
【００３２】
この放音用間隙としては、一例として例えば次のように構成することができる。実施形態の電子鍵盤楽器において、楽器本体１の操作パネルＰの後方部を覆う第１カバー１８ａ及び第２カバー１８ｂを改良し、少なくとも第２カバー１８ｂを操作パネルＰの上面より高くして、この第２カバー１８ｂと操作パネルＰの後部との間に放音用間隙を形成するようにしてもよい。この場合、操作パネルＰを後方側に延長して第２カバー１８ｂの下に潜り込ませて、放音用間隙を例えば実施形態における連結箱部１ｂに連通するようにするとよい。
【００３３】
また、実施形態の電子楽器は、モニタスピーカ２０を備えた好適な実施形態となっているが、このモニタスピーカ２０は無くてもよい。
【００３４】
支持部材Ａの水平断面形状が台形であり、該台形の高さ相当部分すなわちフロント板４１と裏蓋４３とにより挟まれた部分が、前記電気回路部材収納部Ｂとなっているので、フロント板４１と裏蓋４３とは並行であり、電気回路部材１０におけるアンプ等の放熱板やその他の部材を配置し易くなる。例えば、並行でなく斜面で囲まれた空間だとすると、放熱板の高さを斜面倣って順次変える必要があるが、実施形態ではこのような必要がない。
【００３５】
支持部材Ａは、水平断面形状が台形をしており、台形の中央に、かつ、低いところに重い電気部品を配したので重心が楽器の中央で低いところに形成できている。すなわち安定感がある。また台形の並行面のフロント板４１側に上記電気部品を固着すると、重心が前よりになるのでさらに安定する。これによって倒れ防止金具３４，３４を不要にすることができる。
【００３６】
リアパネル５は、幅狭部Ｓ及びトーンエスケープ３０から前方に放音された音を後方に発散させることがないので、音質向上に一役かっている。つまり、リアパネル５は音質向上板でもある。
【００３７】
また、支持部材Ａの水平断面形状が台形であり、スピーカ３１，３１はこの台形の各斜面（バッフル板３３，３３）にスピーカ３１が設けられているので、両スピーカ３１，３１の音響特性が前方に開くハート型となるので、ステージなどの広い場所での演奏にも耐え得る。
【００３８】
また、実施形態の電子楽器においては、両サイドリアパネル６，６は楽器本体に対して着脱自在に固着されるので、ユーザの注文に応じてデザインを選択することができる。
【００３９】
実施形態の電子楽器において、電気回路部材１０は裏蓋４３に固着されており、フロント板４１を取り外すだけで、内部の電気回路部材１０に対するメンテナンス作業を容易に行うことができる。なお、電気回路部材はフロント板４１に固着した場合には、裏蓋４３を取り外してメンテナンスを行うことができる。
【００４０】
実施形態ではスピーカボックス３，３の間にフロント板４１、水平板橋渡し部材４２及び裏蓋４３をそれぞれ別部材として設けるようにしているが、これらの部材とスピーカボックス３，３は一体の部材で構成してもよい。また、左右のスピーカボックス３，３の間に別体で構成した箱状の部材を設けるようにしてもよい。
【００４１】
実施形態では、結合ベース部材７の裏面に床当接部材としてキャスタ７１を設けるようにしているが、このような床当接部材はなくてもよい。
【００４２】
実施形態では、電子鍵盤楽器を例に説明したが、楽器本体に演奏操作子を備え、この演奏操作子の操作による楽音をスピーカで楽音を発生するような電子楽器であれば、鍵盤楽器でなくてもよい。
【図面の簡単な説明】
【００４３】
【図１】本発明の実施形態における電子鍵盤楽器の正面図及び右側面図である。
【図２】同電子鍵盤楽器の上面図である。
【図３】実施形態における支持部材の背面分解状態と楽器全体の各部の取り付け位置関係を示す概略図である。
【図４】実施形態における楽器本体の右側を示す一部平面図である。
【図５】実施形態における楽器本体と右側のスピーカボックスとの取り付け状態を示す斜視図である。
【符号の説明】
【００４４】
１…楽器本体、２…前方脚、３…スピーカボックス（後方脚）、８…ペダル、１０…電気回路部、１１…棚板、１２…鍵盤装置、１３…側板、３１…スピーカ、４２…水平板橋渡し部材、Ａ…支持部材、Ｂ…電気回路部材収納部、Ｃ…収納ボックス、ＧＬ…床面、８１…ペダル保持用フレーム、１０１…制御部（楽音信号発生手段）、１０２…トランス、ｗｋ…白鍵（演奏操作子）、ｂｋ…黒鍵（演奏操作子）、Ｐ…操作パネル
【図１】
2005202189.tif 000003
【図２】
2005202189.tif 000004
【図３】
2005202189.tif 000005
【図４】
2005202189.tif 000006
【図５】
2005202189.tif 000007